(57)【要約】【課題】竪樋からの排水を排水音の発生を防いで排出することができ、地震の際には竪樋や集水ますの破損を防ぐことが可能な免震集水ますを提供する。【解決手段】竪樋３に介装され、免震構造を有する集水ます１であって、該竪樋３は集水ます１に臨んで建物の外壁に取り付けられるとともに、上記竪樋３の下端部３１と集水ます１の上部を構成する入水口１１とは隔てて設けられ、上記集水ます１の入水口１１から排水口１２に至る集水ます１本体の内周壁面は先細状のテーパ面で形成されてなる免震集水ますＡ。【選択図】図１
2008106483.tif 000002
【特許請求の範囲】
【請求項１】
竪樋に介装され、免震構造を有する集水ますであって、該竪樋は集水ますに臨んで建物の外壁に取り付けられるとともに、上記竪樋の下端部と集水ますの上部を構成する入水口とは隔てて設けられ、上記集水ますの入水口から排水口に至る集水ます本体の内周壁面は先細状のテーパ面で形成されてなる免震集水ます。
【請求項２】
上記集水ます本体が角錐台状に形成された請求項１に記載の免震集水ます。
【請求項３】
上記集水ます本体が円錐台状に形成された請求項１に記載の免震集水ます。
【請求項４】
上記集水ますの入水口に複数の竪樋を臨ませて設けた請求項１に記載の免震集水ます。
【発明の詳細な説明】
【技術分野】
【０００１】
本発明は、竪樋に取り付けられる集水ますに関する。さらに詳しくは、軒樋の集水器から雨水を排水する竪樋に介装される免震集水ますの構造に関する。
【背景技術】
【０００２】
通常、竪樋の上端は軒樋に設けられる集水器に接続され、控え金具を用いて家屋外壁に取り付けられるとともに、この竪樋の下端は排水溝、下水道等に接続され、排水される。しかしながら、近年地震対策の見地から免震構造の住宅が普及しつつあり、軒先回りにおいても竪樋等の破損を防止する免震対策が求められている。
【０００３】
そこで、例えば、本願図５に示すように、軒樋に設けた集水器５に竪樋３を接続し、控え金具６を用いて家屋外壁に取り付け、この竪樋３に集水ます８を介装することが行われている。本願図５に示されているように、上方からの竪樋３の下端部３１は、隙間を設けて集水ます８の入水口に臨み、竪樋３からの雨水は、集水ます８の底面に接続された縦排水管４を経て地中に埋設された地中排水管７に排水される。
【０００４】
本願図６は、本願図５に示す公知の集水ます８を拡大して示す縦断面図である。本願図６に示すように、竪樋３の下端部３１は隙間Ｓを設けて集水ます８の入水口８１に臨み、竪樋３からの雨水は底面板９に穿たれた排水口８２から縦排水管４に流下する。このようにして竪樋３に介装された集水ます８は、竪樋３と集水ます８との間に物理的に接触した接続部分がないため、地震の揺れによって該両者間に剪断応力や歪み応力が発生するというようなことがなく、竪樋３や集水ます８の破損を招くことが避けられる。
【０００５】
一方、下記特許文献１には、主として玄関先などの上部に設けられた平坦な庇（玄関ポーチ）などの下面側の天井に設けられ、雨水を排水するための集水ますに関する技術が開示されており、天井の面と集水ますの上端との間に一定の隙間を設けることにより確実に取り付けられるとともに、施工後の外観の向上をはかることが可能な雨とい用集水ますが開示されている。
【特許文献１】特開平８−１３５１１４号公報（第１〜３頁、第１図）
【発明の開示】
【発明が解決しようとする課題】
【０００６】
しかしながら、上記本願図５、図６に示した公知の集水ます８は、底面が平らとなっているため、上方からの排水が矢印で示すように底面板９に衝突し、この衝突音が周囲の側板で反響して大きくなり、耳障りな排水音が発生するという問題がある。
【０００７】
本発明はこのような問題を解決して、竪樋からの排水をスムースに排出することができるとともに、排水音の発生を防ぎ、また、地震の際は竪樋の破損を防ぐことができる免震集水ますを提供することを、その課題とする。
【課題を解決するための手段】
【０００８】
上記課題を解決するために、本発明においては、つぎのような技術的手段を講じている。すなわち、請求項１に記載の発明によれば、竪樋に介装され、免震構造を有する集水ますであって、該竪樋は集水ますに臨んで建物の外壁に取り付けられるとともに、上記竪樋の下端部と集水ますの上部を構成する入水口とは隔てて設けられ、上記集水ますの入水口から排水口に至る集水ます本体の内周壁面は先細状のテーパ面で形成されてなる免震集水ますが提供される。
【０００９】
請求項２に記載の免震集水ますは、請求項１に記載の発明に加えて、上記集水ます本体は先細の傾斜面を有する角錐台状に形成される。
【００１０】
請求項３に記載の免震集水ますは、請求項１に記載の発明に加えて、上記集水ます本体は先細の円錐台状に形成される。
【００１１】
請求項４に記載の免震集水ますは、請求項１に記載の発明に加えて、上記集水ますの入水口に複数の竪樋を臨ませて設けることができる。
【発明の効果】
【００１２】
請求項１に記載の発明にかかる免震集水ますは上記のとおりであり、建物の外壁に取り付けられた竪樋は、その下端部が集水ますの上部を構成する入水口に隙間を隔てて臨んでいるため、地震の揺れによって該両者が相対移動しても、該両者間に剪断応力や歪み応力が発生することを防いで、竪樋や集水ますの破損を防ぐことができる。
【００１３】
また、上記集水ますの入水口から排水口に至る集水ます本体の内周壁面は先細状のテーパ面で形成されているため、排水はテーパを構成する勾配に沿って流れ落ち、直接、排水が底面板に衝突することがないため、排水音が騒音となって、耳障りとなることなく、スムースに排水することができる。
【００１４】
請求項２に記載の免震集水ますは上記のとおりであり、請求項１の免震集水ますの有する効果に加え、上記集水ます本体が角錐台状に形成されているため、デザイン性よく竪樋に介装され、排水音を発することなく、スムースに排水することができる。
【００１５】
請求項３に記載の免震集水ますは上記のとおりであり、請求項１の免震集水ますの有する効果に加え、上記集水ます本体が円錐台状に形成されているため、デザイン性よく竪樋に介装され、排水音を発することなく、スムースに排水することができる。
【００１６】
請求項４に記載の免震集水ますは上記のとおりであり、請求項１の免震集水ますの有する効果に加え、上記集水ますの入水口に複数の竪樋を臨ませて設けることができるため、例えば、軒樋に設けられた２カ所の集水器からの雨水をまとめて受けて、排水音を発することなく、スムースに排水することができる。
【発明を実施するための最良の形態】
【００１７】
以下、本発明にかかる免震集水ますの実施形態について図面を参照して詳細に説明する。図１は、本発明の第１実施形態にかかる免震集水ますＡを示す斜視図である。図外軒樋の集水器に接続された竪樋３は、その下端部３１が上記集水ます１の上部を構成する入水口１１に臨ませて建物の外壁に取り付けられる。図１に示すように、第１実施形態においては、集水ます１本体は、その内周壁面が上記入水口１１から排水口１２に至る先細状のテーパ面で形成される角錐台状とされている。
【００１８】
図２は、図１におけるＸ−Ｘ線に沿う断面図である。図２に示されているように、上記竪樋３の下端部３１は、隙間Ｓを隔てて上記入水口１１に臨み、上記集水ます１の底部は排水口１２とされ、縦排水管４に接続されている。図２に示すように、集水ます１本体の内周壁面はテーパ状に形成されているため、竪樋３から流下した雨水は、図６に示す従来形状のものにおけるように、雨水が底面板９に衝突することなく、テーパが構成する勾配に沿って流れ落ちる。その結果、排水音が騒音となって耳障りとなる、ことを低減でき、スムースに排水を縦排水管４に流すことができる。
【００１９】
地震の際は、竪樋３と集水ます１との間に隙間Ｓがあるため、地震の揺れによって該両者が相対移動しても、該両者間に剪断応力や歪み応力が発生することを防ぎ、竪樋３や集水ます１の破損を防ぐことができる。また、入水口１１は、地震の揺れに対応し、竪樋３の下端部３１に比較して面積を大きく、余裕を持って設けているため、通常時は、集水ます１に溜まったゴミ等を容易に取り除くことができる。
【００２０】
図３は、本発明の第２実施形態にかかる免震集水ますＢを示す斜視図である。第１実施形態と同様に、図外軒樋の集水器に接続された竪樋３は、その下端部３１を集水ます２の上部を構成する入水口２１に臨ませて建物の外壁に取り付けられる。図３に示すように、第２実施形態においては、集水ます２本体は、その内周壁面が上記入水口２１から排水口２２に至る先細状のテーパ面で形成される円錐台状とされるとともに、底部には排水口２２が設けられ、縦排水管４に接続されている。
【００２１】
そして、第１実施形態における場合と同様に、竪樋３から流下した雨水は、円錐を構成する勾配に沿って流れ落ち、排水音が騒音となって耳障りとなる、というようなことを低減でき排水を縦排水管４にスムースに流すことができる。
【００２２】
また、地震の際は、竪樋３と集水ます２との間に隙間Ｓがあるため、地震の揺れによって該両者が相対移動しても、該両者間に剪断応力や歪み応力が発生することを防ぎ、竪樋３や集水ます２の破損を防ぐことができる。また、入水口２１は、地震の揺れに対応して竪樋３の下端部３１に比較して面積を大きく、余裕を持って設けているため、通常時は、集水ます２に溜まったゴミ等を容易に取り除くことができる。
【００２３】
図４は本発明の第１実施形態にかかる免震集水ますＡの応用例を示す一部断面側面図である。図４に示すように、図２における竪樋３に加えて、軒樋の別の集水器に接続された他の竪樋３ａを含む複数の竪樋が集水ます１の入水口１１に臨んで設けられる。このように、一個の集水ます１に複数の竪樋からの雨水をまとめて受け、耳障りとなる排水音を発生させることなく、スムースに排水させることができる。以上述べたように、本発明は種々設計変更可能であり、特許請求の範囲を逸脱しない限り、本発明の技術的範囲に属する。
【図面の簡単な説明】
【００２４】
【図１】本発明の第１実施形態にかかる免震集水ますを示す斜視図である。
【図２】図１におけるＸ−Ｘ線に沿う断面図である。
【図３】本発明の第２実施形態にかかる免震集水ますを示す斜視図である。
【図４】本発明の第１実施形態にかかる免震集水ますの応用例を示す一部断面側面図である。
【図５】公知の集水ますを示す説明図である。
【図６】図５における集水ますを拡大して示す縦断面図である。
【符号の説明】
【００２５】
Ａ          本発明の第１実施形態にかかる免震集水ます
Ｓ          隙間
１          集水ます
１１        入水口
１２        排水口
Ｂ          本発明の第２実施形態にかかる免震集水ます
２          集水ます
２１        入水口
２２        排水口
３          竪樋
３１        下端部
３ａ        他の竪樋
４          縦排水管
５          集水器
６          控え金具
７          地中排水管
８          公知技術における集水ます
８１        公知技術における集水ますの入水口
８２        公知技術における集水ますの排水口
９          公知技術における底面板
【図１】
2008106483.tif 000003
【図２】
2008106483.tif 000004
【図３】
2008106483.tif 000005
【図４】
2008106483.tif 000006
【図５】
2008106483.tif 000007
【図６】
2008106483.tif 000008